(57)【要約】  照明ユニット１００の照射瞳１１２からの光がビーム・スプリッタ１０２へ方向付けられ、ビーム・スプリッタは光を対物レンズ１０４へ方向付ける。照明ユニット１００の射出瞳１１２の実像及びカメラ・ユニット１０６の入射瞳１１４の実像が角膜１２０から水晶体１２４の裏側１２６までの位置に形成可能であると、網膜１２８が光で照らされる。対物レンズ１０４は、対物レンズとカメラ・ユニットとの間に網膜１２８の実中間像１３０を形成する。ビーム・スプリッタは、網膜からの光をカメラ・ユニット１０６へ方向付けると同時に、水晶体１２４において射出瞳１１２の像と入射瞳１１４の像とが重複しないように、照明用の経路１３４と結像用の経路１３２とを逸脱させる。像をスクリーン１５０上に示される電気的形態に変換するために、リレー・レンズ・システム１３８が、網膜１２８から反射された光を用いて、検出コンポーネント１３６上に中間像１３０の実像を形成する。
2015511509.tif 000002
【特許請求の範囲】
【請求項１】
照明ユニットと、ビーム・スプリッタと、対物レンズと、リレー・レンズ・システムと、固視標ユニットと、カメラ・ユニットとを有する、眼球を画像化するための装置であって、
前記照明ユニットが光学的放射線源を有し、また前記照明ユニットが、前記放射線源の光学的放射線を前記照明ユニットの射出瞳から前記ビーム・スプリッタへ方向付けるように構成され、
前記ビーム・スプリッタが、眼球の網膜を照明する前記光学的放射線を前記対物レンズへ方向付けるように構成され、
前記固視標ユニットが、可視光学的放射線による少なくとも１つの固視標像によって前記眼球の前記網膜を照明するように構成され、
前記対物レンズが、前記網膜から反射された前記光学的放射線を用いて前記対物レンズと前記カメラ・ユニットとの間に前記網膜の実中間像を形成するように構成され、前記照明ユニットの前記射出瞳の実像及び前記カメラ・ユニットの入射瞳の実像が、眼球の角膜から水晶体の裏側までの位置に形成可能であり、
前記ビーム・スプリッタが、前記対物レンズと前記リレー・レンズ・システムの開口との間に存在し、且つ前記光学的放射線を前記網膜から前記カメラ・ユニットへ方向付けるように構成され、前記ビーム・スプリッタが、少なくとも前記水晶体での前記射出瞳の像と前記入射瞳の像との重複を防ぐために、前記照明用放射線の経路と前記結像用放射線の経路とを所定の態様で逸脱させるように構成され、また
前記カメラ・ユニットが検出コンポーネントを有し、前記リレー・レンズ・システムが、前記網膜から反射された前記光学的放射線によって前記検出コンポーネント上に前記中間像の実像を形成するように構成され、それによって前記光学像が示される
装置。
【請求項２】
前記固視標ユニットが、光学的放射線を前記ビーム・スプリッタへ方向付けるように構成され、前記ビーム・スプリッタが、前記固視標ユニットに関連した少なくとも１つの像を前記網膜上に形成するために、前記光学的放射線を前記固視標ユニットから前記対物レンズへ方向付けるように構成されている、請求項１に記載の装置。
【請求項３】
前記対物レンズが、前記固視標ユニットの前記射出瞳の実像を、少なくともおおよそ前記眼球の前記角膜から前記水晶体の前記裏側までの位置に形成するように構成されている、請求項１に記載の装置。
【請求項４】
前記検出コンポーネントが、前記光学像を電気的形態に変換するように構成されている、請求項１に記載の装置。
【請求項５】
前記ビーム・スプリッタが、少なくとも１つの偏光子を含む、請求項１に記載の装置。
【請求項６】
前記対物レンズが、実質的に前記水晶体内に前記照明ユニットの前記射出瞳の前記実像を形成するように構成されている、請求項１に記載の装置。
【請求項７】
前記対物レンズが、実質的に前記水晶体内に前記カメラ・ユニットの前記入射瞳の前記実像を形成するように構成されている、請求項１に記載の装置。
【請求項８】
前記照明ユニットの前記射出瞳の前記実像、及び前記カメラ・ユニットの前記入射瞳の前記実像が、前記照明用放射線の前記経路又は前記結像用放射線の前記経路の光軸に平行な線上の異なる位置にある、請求項１に記載の装置。
【請求項９】
前記照明ユニットが、赤外放射線を用いて連続的に前記網膜を照らすように構成され、また前記照明ユニットが、前記網膜の少なくとも１つの静止画像を取り込むために可視光を閃光させるように構成されている、請求項１に記載の装置。
【請求項１０】
前記ビーム・スプリッタが、前記対物レンズと前記リレー・レンズ・システムの前記開口との間に存在する、請求項１に記載の装置。
【請求項１１】
セットが、前記カメラ・ユニットと複数の光学機能部品とを有し、
前記複数の光学機能部品が、繰返し前記カメラ・ユニットに取り付け及び取り外し可能であり、
前記カメラ・ユニットが単独で、体の外側表面上の少なくとも１つの器官の像を撮るように構成され、
前記光学機能部品のうちの１つが、前記眼球を画像化するための前記ビーム・スプリッタ及び前記対物レンズを有し、また
前記セット内の少なくとも１つのさらなる光学機能部品を備えた前記カメラ・ユニットが、前記眼球及び体の外側表面上の前記少なくとも１つの器官とは異なる少なくとも１つの器官の像を撮るように構成されている、請求項１に記載の装置。
【請求項１２】
眼球を画像化するための方法であって、
放射線源の光学的放射線を照明ユニットの射出瞳からビーム・スプリッタへ方向付けるステップと、
前記ビーム・スプリッタにより、前記光学的放射線を前記照明用放射線の経路に沿って対物レンズへ方向付けるステップと、
前記固視標ユニットにより、可視光学的放射線による少なくとも１つの固視標像によって前記眼球の網膜を照明するステップと、
前記照明ユニットの射出瞳の実像及びカメラ・ユニットの入射瞳の実像が、前記眼球の角膜から水晶体の裏側までの位置に形成できるように、前記対物レンズを通じて前記光学的放射線によって前記眼球の前記網膜を照明するステップと、
前記対物レンズを通じて、前記網膜から反射された前記光学的放射線をによって、前記結像用放射線の経路内の前記対物レンズと前記カメラ・ユニットとの間に前記網膜の実中間像を形成するステップと、
前記ビーム・スプリッタにより、前記網膜からの前記光学的放射線を前記カメラ・ユニットへ方向付けるステップと、
少なくとも前記水晶体の表面上での前記射出瞳の像と前記入射瞳の像との重複を防ぐために、前記ビーム・スプリッタにより、前記対物レンズと前記リレー・レンズ・システムの開口との間で、前記照明用放射線の前記経路と前記結像用放射線の前記経路とを所定の態様で逸脱させるステップと、
前記光学像が示されるようにするために、リレー・レンズ・システムにより、前記網膜から反射された前記光学的放射線によって検出コンポーネント上に前記中間像の実像を形成するステップと
を含む方法。
【請求項１３】
前記固視標ユニットにより、光学的放射線を前記ビーム・スプリッタへ方向付けるステップと、前記固視標ユニットに関連付けられた少なくとも１つの像を前記網膜上に形成するために、前記ビーム・スプリッタにより、前記光学的放射線を前記固視標ユニットから前記対物レンズへ方向付けるステップとをさらに含む、請求項１２に記載の方法。
【請求項１４】
前記固視標ユニットの前記射出瞳の実像を前記対物レンズによって、少なくともおおよそ前記眼球の前記角膜から前記水晶体の前記裏側までの位置に形成するステップをさらに含む、請求項１２に記載の方法。
【請求項１５】
前記検出コンポーネントにより前記光学像を電気的形態に変換するステップをさらに含む、請求項１２に記載の方法。
【請求項１６】
偏光ビーム・スプリッタにより前記光学的放射線を方向付けるステップをさらに含む、請求項１２に記載の方法。
【請求項１７】
前記対物レンズにより前記水晶体内に前記照明ユニットの前記射出瞳の前記実像を形成するステップをさらに含む、請求項１２に記載の方法。
【請求項１８】
前記対物レンズにより、実質的に前記水晶体内に前記カメラ・ユニットの前記入射瞳の前記実像を形成するステップをさらに含む、請求項１２に記載の方法。
【請求項１９】
前記照明ユニットの前記射出瞳の前記実像、及び前記カメラ・ユニットの前記入射瞳の前記実像を、前記照明用放射線の前記経路又は前記結像用放射線の前記経路の前記光軸に平行な線上の異なる場所に形成するステップをさらに含む、請求項１２に記載の方法。
【請求項２０】
近赤外放射線を用いて前記網膜を連続的に照らすステップと、前記網膜の少なくとも１つの静止画像を撮るために可視光を閃光させるステップとをさらに含む、請求項１２に記載の方法。
【請求項２１】
前記対物レンズと前記リレー・レンズ・システムの前記開口との間に存在する前記ビーム・スプリッタが、前記リレー・レンズ・システムとは異なる場所で前記照明用光学的放射線と前記結像用放射線との間に逸脱を形成する、請求項１２に記載の方法。
【請求項２２】
セットが、前記カメラ・ユニットと複数の光学機能部品とを有し、前記光学機能部品が、繰返し前記カメラ・ユニットに取り付け及び取り外し可能であり、
前記カメラ・ユニットが単独で、体の外側表面上の少なくとも１つの器官の像を撮るように構成されており、
前記光学機能部品のうちの１つが、前記眼球を画像化するための前記ビーム・スプリッタ及び前記対物レンズを有し、また
前記セット内の少なくとも１つのさらなる光学機能部品を備えた前記カメラ・ユニットが、前記眼球及び体の外側表面上の前記少なくとも１つの器官のどちらとも異なる少なくとも１つの器官の像を撮ることが可能である、請求項１２に記載の方法。
【発明の詳細な説明】
【技術分野】
【０００１】
本発明の例示的且つ非限定的な実施例は一般に、眼球検査機器に関する。
【背景技術】
【０００２】
眼底カメラの光学設計には、幾つかの困難な要求が含まれる。画像は、鮮明であり、且つ、検出におけるノイズを打ち消すのに十分に高い輝度で均一に照らされることが必要とされる。視野は、網膜の大断面を取り込むのに十分な広さでなければならない。画像は、グレアがないことが必要とされる。特に、眼底カメラのレンズからの反射、眼球の角膜からの反射、及び眼球の水晶体からの反射は、画質を損ないやすい。散大していない瞳孔を用いて、すなわち非散瞳性の方法で画像化が行えることも望ましい。好ましくは、デバイスは、手持ち式操作を可能とするべきである。最後に、デバイスは、コンパクトであり且つ画像化中の眼球との位置合わせが容易であるべきであり、また、作動距離は、十分に長いことが必要とされる。
【発明の概要】
【発明が解決しようとする課題】
【０００３】
優れた検眼鏡を組み立てる試みがなされてきた。従来技術において、反射に関する問題は、通常、黒点共役法（ｂｌａｃｋ−ｄｏｔ  ｃｏｎｊｕｇａｔｅ  ｍｅｔｈｏｄ）と照明及び結像に共通の適切に整形された形態のレンズとを一緒に使用することによって対処されてきた。しかし、それらは、収差の増大により画質を損なうか、又は、使用に適した視野を制限する。したがって、適切な検眼鏡に対する明確な必要性がある。
【課題を解決するための手段】
【０００４】
本発明の幾つかの態様に関する基本的な理解を提供するために、本発明の簡易化した概要を以下に提示する。この概要は、本発明の広範な概観ではない。
【０００５】
本発明の一観点は、照明ユニットと、ビーム・スプリッタと、対物レンズと、リレー・レンズ・システムと、カメラ・ユニットとを含む、眼球を画像化するための装置に関し、照明ユニットは、光学的放射線源を含み、また、照明ユニットは、放射線源の光学的放射線を照明ユニットの射出瞳からビーム・スプリッタへ向かわせるように構成されており、ビーム・スプリッタは、光学的放射線を対物レンズへ向かわせるように構成されており、照明ユニットは、光学的放射線を用いて眼球の網膜を照らすように構成されており、対物レンズは、網膜から反射された光学的放射線を用いて対物レンズとカメラ・ユニットとの間に網膜の実中間像を形成するように構成されており、照明ユニットの射出瞳の実像及びカメラ・ユニットの入射瞳の実像を眼球の角膜から水晶体の裏側までの位置に形成することができ、ビーム・スプリッタは、網膜からの光学的放射線をカメラ・ユニットへ向かわせるように構成されており、ビーム・スプリッタは、少なくとも水晶体での射出瞳の像と入射瞳の像との重複を防ぐために、照明用放射線の経路と結像用放射線の経路とを所定の態様で偏向させるように構成されており、カメラ・ユニットは、検出コンポーネントを含み、リレー・レンズ・システムは、光学像が示されるようにするために、網膜から反射された光学的放射線を用いて検出コンポーネント上に中間像の実像を形成するように構成されている。
【０００６】
本発明の一観点は、放射線源の光学的放射線を照明ユニットの射出瞳からビーム・スプリッタへ向かわせるステップと、ビーム・スプリッタにより、光学的放射線を照明用放射線の経路に沿って対物レンズへ向かわせるステップと、照明ユニットの射出瞳の実像及びカメラ・ユニットの入射瞳の実像を眼球の角膜から水晶体の裏側までの位置に形成することができるように、対物レンズを通じて、光学的放射線を用いて眼球の網膜を照らすステップと、対物レンズを通じて、網膜から反射された光学的放射線を用いて、結像用放射線の経路内で対物レンズとカメラ・ユニットとの間に網膜の実中間像を形成するステップと、ビーム・スプリッタにより、網膜からの光学的放射線をカメラ・ユニットへ向かわせるステップと、少なくとも水晶体の表面上での射出瞳の像と入射瞳の像との重複を防ぐために、ビーム・スプリッタにより、照明用放射線の経路と結像用放射線の経路とを所定の態様で偏向させるステップと、光学像が示されるようにするために、リレー・レンズ・システムにより、網膜から反射された光学的放射線を用いて検出コンポーネント上に中間像の実像を形成するステップとを含む、眼球を画像化するための方法に関する。
【０００７】
本発明のさらなる実施例は、従属請求項に開示されている。
【０００８】
本解決法は、非散瞳性の眼球の画像化を可能とし、この画像化は、適切な視野を持つ、グレアのない画像をもたらす。
【０００９】
本発明の様々な観点、実施例、及び特徴が独立して記載されるが、本発明の様々な観点、実施例、及び特徴の全ての組み合わせが可能であり、また、それらが特許請求の範囲に記載の本発明の範囲に含まれることを、理解すべきである。
【００１０】
以下において、添付の図面を参照しながら、例示的な実施例により本発明をより詳細に説明する。
【図面の簡単な説明】
【００１１】
【図１】眼球検査機器の構成を示す図である。
【図２】眼球の検査機器の代替的な構成を示す図である。
【図３】照明用放射線の軸と結像用放射線の軸との偏向を示す図である。
【図４】Ｇｕｌｌｓｔｒａｎｄの原理による眼球内の光学的放射線の経路を示す図である。
【図５】その必要条件がＧｕｌｌｓｔｒａｎｄの原理の必要条件よりも容易な、光学的放射線の経路を示す図である。
【図６】照明用及び結像用の放射線の経路が水晶体内でのみ分離されている、眼球の瞳孔を示す図である。
【図７】経路の変形例を示す図である。
【図８】経路の変形例を示す図である。
【図９】経路の変形例を示す図である。
【図１０】経路の変形例を示す図である。
【図１１】眼球の瞳孔よりも大きい、照明用及び結像用の放射の経路の投影を示す図である。
【図１２】眼球の瞳孔が小さい一実例を示す図である。
【図１３】眼球の瞳孔上の照明用放射線及び結像用放射線の経路の投影を示す図である。
【図１４】眼球の瞳孔上の照明用放射線及び結像用放射線の経路の投影を示す図である。
【図１５】光学機能部品を含むカメラ・ユニットを示す図である。
【図１６】固視標、及び網膜上の固視標の投影を示す図である。
【図１７】固視標の構造を示す図である。
【図１８】固視標を含む検査機器を示す図である。
【図１９】網膜上の固視標の像を示す図である。
【図２０】固視標を提供するための構造を示す図である。
【図２１】方法の流れ図を示す図である。
【発明を実施するための形態】
【００１２】
次に、添付の図面を参照しながら本発明の例示的な実施例を以下により詳細に説明するが、添付の図面には本発明の全ての実施例が示されているわけではない。実際には、本発明は、多くの異なる形態で具現化されうるものであり、本明細書に記述される実施例に限定されるように解釈されるべきではない。本明細書は幾つかの箇所で「一（ａｎ）」、「１つの（ｏｎｅ）」、又は「幾つかの（ｓｏｍｅ）」実施例に言及する場合があるが、このことは、必ずしもそれぞれのそのような言及が同じ実施例（複数可）に向けられること、又は特徴が単一の実施例にのみ適用されることを意味するものではない。様々な実施例の単一の特徴を組み合わせて他の実施例を提供することも可能である。
【００１３】
眼球の検査機器のような装置の構造の一実例が、図１に示されている。図１は、幾つかの要素及び機能構成要素のみを示す簡易化された構造であり、その実施は変更しうる。眼球を画像化するための検査機器は、照明ユニット１００、ビーム・スプリッタ１０２、対物レンズ１０４、及びカメラ・ユニット１０６を備えることができる。照明ユニット１００は、レンズ又は複数のレンズ１０８、及び光学的放射線源１１０を含み、光学的放射線源１１０は、１つ又は複数の放射線源素子を含む。照明ユニットは、紫外光（約２５０ｎｍから４００ｎｍ）、可視光（約４００ｎｍから７００ｎｍ）、赤外光（約７００ｎｍから１４００ｎｍ）のうちの少なくとも１つを送ることができる。
【００１４】
照明ユニット１００は、放射線源１１０の光学的放射線を照明ユニット１００の射出瞳１１２からビーム・スプリッタ１０２へ向かわせることができる。射出瞳１１２は、物理的開口の後ろにある光学素子によって形成された、照明ユニット１００内の物理的開口の像である。ビーム・スプリッタ１０２は、光学的放射線を照明用放射線の経路１３４内で対物レンズ１０４へ向かわせる。光学的放射線の経路は、光学的放射線によって占められる体積として画定することができる。この経路のサイズ及び形状は、レンズ及び他の光学素子の特性に依存する。眼球もまた、経路に何らかの影響を及ぼす可能性がある。図１では、ビーム・スプリッタ１０２は、光学的放射線の一部を対物レンズ１０４の方へ反射する。
【００１５】
一般に、ビーム・スプリッタは、ビーム・スプリッタに向けられた光学的放射線の一部を反射し、且つ、光学的放射線の残りの部分にビーム・スプリッタを通過させることができる。多くの場合、ビーム・スプリッタは、分割されたビームの両方が、分割されていない元のビームの強度の数％以下から５０％前後に及びうるほぼ同じ強度を有するように、光学的放射線のビームを２つに分割する。
【００１６】
一実施例では、ビーム・スプリッタ１０２は、偏光子を含みうる。偏光子を含むビーム・スプリッタ１０２は、例えば、偏光ビーム・スプリッタとすることができる。その代わりに、又はそれに加えて、照明用放射線と結像用放射線の両方を偏光するために１つ又は複数の偏光子があってもよい。ビーム・スプリッタ１０２に関連付けられた偏光子は、光学的放射線を直線的に偏光させることができる。
【００１７】
対物レンズ１０４は、１つ又は複数のレンズを含むことができる。対物レンズ１０４は、検査機器が眼球から作動距離まで移動されたときに光学的放射線を用いて眼球１２２の網膜１２８を照らすために、眼球１２２の角膜１２０から水晶体１２４の裏側１２６までの位置に照明ユニット１００の射出瞳１１２の実像を形成するように設計された特性を有しうる。同様に、対物レンズ１０４は、検査機器が眼球から作動距離まで移動されたときに眼球１２２の角膜１２０から水晶体１２４の裏側１２６までの位置にカメラ・ユニット１０６の入射瞳１１４の実像を形成するように設計された特性を有することができる。照明用光学的放射線は、網膜１２８へ伝搬する際に眼球の瞳孔１２７を通過することができる。同様に、検出に向かって進行する結像用光学的放射線は、眼球の瞳孔１２７を通過することができる。
【００１８】
対物レンズ１０４はまた、網膜１２８から反射された光学的放射線である結像用放射線の経路１３２において対物レンズ１０４とカメラ・ユニット１０６との間に網膜１２８の実中間像１３０を形成するように設計された特性を有することができる。一実施例では、実中間像１３０は、対物レンズ１０４とビーム・スプリッタ１０２との間に存在する場合がある。
【００１９】
ビーム・スプリッタ１０２は、網膜１２８からの光学的放射線をカメラ・ユニット１０６へ向かわせることができる。図１では、ビーム・スプリッタ１０２は、光学的放射線の一部を検出へ向けて通過させる。ビーム・スプリッタ１０２は、ビーム・スプリッタ１０２により照明用放射線の経路１３４と結像用放射線の経路１３２とが所定の様態で互いに偏向するように、設計及び／又は位置決めされていた可能性もある。この偏向により、少なくとも水晶体１２４内での射出瞳１１２と入射瞳１１４の像及び／又は放射線のビームの重複を防止することができる。
【００２０】
ビーム・スプリッタ１０２は、対物レンズ１０４とリレー・レンズ・システム１３８の開口部１１６との間に存在することができる。ビーム・スプリッタ１０２は、リレー・レンズ・システム１３８の入射瞳１１４と対物レンズ１０４との間に配置されていてもよい。入射瞳は、開口部１１６の前方にある光学素子によって形成された（物空間内に投影された）リレー・レンズ・システム１３８の開口部１１６の像である。ビーム・スプリッタ１０２は、中間像１３０とリレー・レンズ・システム１３８との間に存在することができる。ビーム・スプリッタ１０２は、照明用光学的放射線と結像用放射線との間に偏向を形成することができる。例えば、リレー・レンズ・システム１３８の射出瞳１１４と中間像１３０との間の光学的中間位置が、ビーム・スプリッタ１０２に利用可能とされうる。例えば、中間像１３０とビーム・スプリッタ１０２との間にある程度距離があることが、画像に現れる可能性があるビーム・スプリッタ１０２上の塵を避けるのに有効とされうる。
【００２１】
ビーム・スプリッタ１０２が偏光子を含む場合、ビーム・スプリッタ１０２から対物レンズ１０４へ反射される光学的放射線は、偏光される。次いで、偏光された光学的放射線は、眼球１２２の網膜１２８へ伝搬して、網膜１２８から反射される。網膜１２８の表面は光学的に粗いので、偏光された光学的放射線は、少なくとも部分的に偏光解消されることになる。反射された光学的放射線が偏光ビーム・スプリッタ１０２にぶつかると、光学的放射線の偏光された部分は、検出されることなくビーム・スプリッタ１０２から照明ユニット１００に向かって反射される。しかし、反射された光学的放射線のうちの偏光解消された部分の一部は、ビーム・スプリッタ１０２を通って検出へと伝搬する。
【００２２】
偏光ビーム・スプリッタに加えて、又はその代わりに、照明用放射線のための前偏光子１４０と結像用放射線のための後偏光子１４２とを含むビーム・スプリッタを使用することができる。前偏光子１４０は、ビーム・スプリッタ１０２に先立って照明用光学的放射線１３４に対する直線偏光を行うことができる。後偏光子１４２もまた直線偏光子とすることができ、前偏光子１４０に対して交差した位置に置くことができる。すなわち、後偏光子１４２の偏光軸は、前偏光子１４０の偏光軸に対して９０°回転される。この構成では、前偏光子１４０を通過する直線偏光を有するいずれの光学的放射線も、後偏光子１４２を通過することができない。したがって、例えば、対物レンズ１０４からの反射は、後偏光子１４２を通過することができず、したがって、検出コンポーネント１０６へ伝搬することができない。しかし、網膜１２８から反射された偏光解消された光学的放射線の一部は、後偏光子１４２を通過して検出コンポーネント１０６まで至ることができる。
【００２３】
カメラ・ユニット１０６は、検出コンポーネント１３６を含み、また、リレー・レンズ・システム１３８を含むことができる。リレー・レンズ・システム１３８は、カメラ・ユニット１０６から独立したコンポーネントであってもよい。カメラ・ユニット１０６は、市販製品のように、検出コンポーネント１３６とリレー・レンズ・システム１３８とを一体化したものであってもよい。カメラ・ユニット１０６はまた、共通の枠組内に画像処理ユニット１４８と画面１５０とを含むことができる。代替として、カメラ・ユニット１０６は、検査機器に特有の独立した光学的コンポーネントとして設計及び製造されてもよい。
【００２４】
リレー・レンズ・システム１３８は、少なくとも１つのレンズを含むことができる。リレー・レンズ・システム１３８は、反射された光学的放射線を用いて検出コンポーネント１３６上に中間像１３０の実像を形成することができる。検出コンポーネント１３６は、マトリックスの形態とされうる複数の画素を含むことができる。検出コンポーネント１３６の目的は、光学像を電気的形態に変換することとすることができる。しかし、検出コンポーネント１３６は、光電子検出器の代わりに写真フィルムであってもよい。検出コンポーネント１３６は、ＣＯＤ（電荷結合素子、Ｃｈａｒｇｅｄ−Ｃｏｕｐｌｅｄ  Ｄｅｖｉｃｅ）セル、又はＣＭＯＳ（相補型金属酸化膜半導体、Ｃｏｍｐｌｅｍｅｎｔａｒｙ  Ｍｅｔａｌ  Ｏｘｉｄｅ  Ｓｅｍｉｃｏｎｄｕｃｔｏｒ）セルであってもよい。カメラ・ユニット１０６は、デジタル・カメラのように機能してもよい。電気的形態の画像、１つ又は複数の静止画像又はビデオ映像を、画像処理ユニット１４８で処理し、次いで、検査機器の画面１５０上でユーザに提示することができる。画像処理ユニット１４８は、プロセッサ及びメモリを含むことができる。
【００２５】
図２は、眼球検査デバイスの代替的な構成を提示する。この構成は、カメラ・ユニット１０６と照明ユニット１００とが置き換えられているが、他の点では図１の構成と類似している。ビーム・スプリッタ１０２が偏光子を含む場合、ビーム・スプリッタ１０２を通過して対物レンズ１０２へ行く光学的放射線は、偏光される。次いで、偏光された光学的放射線は、眼球１２２の網膜１２８へ伝搬して、網膜１２８から反射される。反射された光学的放射線が偏光ビーム・スプリッタ１０２にぶつかると、光学的放射線の偏光された部分は、ビーム・スプリッタ１０２を通過して照明ユニット１００へ向かって行く。しかし、反射された光学的放射線のうちの偏光解消された部分は、ビーム・スプリッタ１０２から検出に向けて反射される。
【００２６】
図２にも示されている一実施例では、偏光ビーム・スプリッタは、非偏光ビーム・スプリッタ、偏光子１４４、及び４分の１波長板１４６に置き換えることができる。偏光子１４４は、ビーム・スプリッタからの反射の後で、照明用放射線１３４を偏光させることができる。４分の１波長板１４６は、直線偏光された照明用放射線１３４を、円形偏光された放射線に変換することができる。光学的放射線は、眼球１２２に入る前に、対物レンズ１０４及び角膜１２０にぶつかる。検出コンポーネント１０６に向かって伝搬する光学的放射線の偏光は、２度目に４分の１波長板１４６を通過する際に、４分の１波長板１４６において円形偏光された放射線から直線偏光された放射線に戻されうる。しかし、直線偏光は、次いで、照明用放射線に対して９０°回転される。次いで、結像用放射線１３２は、再び偏光子１４４にぶつかりうる。偏光が維持された光学的放射線の部分、具体的には反射は、光学的放射線の偏光が４分の１波長板の２度目の通過を経て完全に９０°回転されているので、偏光子１４４を通過することができない。しかし、少なくとも、網膜１２８から反射された偏光解消された光学的放射線の一部は、偏光子１４４を通過することができる。
【００２７】
次に、ミラー又は非偏光ビーム・スプリッタの代わりに偏光ビーム・スプリッタを使用することにより照明用及び結像用の放射線の光路が分離される一実施例を、少し詳しく検討する。偏光ビーム・スプリッタは、リレー・レンズ・システム１３８の入射瞳１１４から離れた所で照明用及び結像用の放射線の経路を分離するために使用することができる。偏光子を含む（又は含まない）ビーム・スプリッタは、検査機器の内部に含むことができる。カメラ・ユニット１０６は、単独のユニットとすることができ、また、他の目的にも使用することができる普通のレンズ又は複数のレンズを含む。
【００２８】
図１に示されているように、照明用及び結像用の放射線は、少なくとも対物レンズ１０４を共有し、場合によっては、対物レンズ１０４と、偏光子を含むことができる又はできないビーム・スプリッタ１０２との間の他のレンズを共有する。共有対物レンズ１０４の利点は、検査機器と眼球１２２との間の作動距離を十分に長くすることができることであり、この利点は、手持ち式検査機器の操作にも役立たせることができる。
【００２９】
偏光ビーム・スプリッタを使用することにより、反射を乱すことなしに共有レンズの自由な設計が可能になる。偏光ビーム・スプリッタから反射された直線偏光した照明用放射線が共有表面（例えば、対物レンズ１０４の前面及び後面）から反射されるときに、放射線はその偏光状態を維持して、偏光ビーム・スプリッタにより照明ユニット１００の方へ反射される。しかし、照明用放射線が網膜１２８から散乱されると、照明用放射線は実質的に偏光解消され、したがって、網膜１２８の像は偏光ビーム・スプリッタを経て検出コンポーネント１３６へ送られる。当然ながら、共有レンズは、実質的に複屈折性のないものとすべきであり、又は、共有レンズの複屈折性は、遅延板などの適切な補償器を使用することによって補償されるべきである。
【００３０】
一実施例では、少なくとも１つの補償器を用いて、又は従来技術の方法することにより、例えば形状を適切に設計すること及び／又は黒点共役法を使用することにより、第１の共有表面からのグレアが偏光に基づいて除去され、また、次の（すなわち、眼球に近い方の）表面からのグレアが偏光に基づいて除去されるように、混合したグレアの除去を使用することができる。
【００３１】
図３は、照明用放射線の経路の光軸３００と結像用放射線の経路の光軸３０２との間の偏向を提示する。図３は、図１の構成を参照する。しかし、この方向における対応する偏向は、図２と類似した構成でも存在する場合がある。照明用放射線の経路の光軸３００の向きと結像用放射線の経路の光軸３０２の向きとの間の角度αは、数度でよい。角度αは、例えば３°から１２°とすることができる。偏向は、少なくとも水晶体１２４内で射出瞳１１２及び入射瞳１１４の像が重複するのを防ぐために利用される（図４から図６参照）。偏向は、調節可能とすることができる。偏向は、例えば、ビーム・スプリッタ１０２を回転すること、又は照射瞳を移動することによって変更することができる。
【００３２】
次に、眼球によってもたらされる反射の除去の可能性を分析する。図４は、Ｇｕｌｌｓｔｒａｎｄの原理による一実施例における眼球内の光路を提示する。眼底カメラに関する一般的な問題は、前眼部からのグレアである。反射の原因は、角膜１２０、及び水晶体１２４の両表面である。Ｇｕｌｌｓｔｒａｎｄの原理によれば、それらの反射は、これらの表面上で照明用及び結像用の放射線の経路４００、４０２を互いに分離することによって、回避することができる。図４に示されているように、照明用放射線の経路４００、及び結像用放射線の経路４０２は、角膜１２０の表面上、並びに水晶体１２４の前面１２５及び後面１２６上では重複しない。経路は狭いくびれの前で収束し、次いで経路は発散する。角膜１２０と水晶体１２４の後面１２６との間の狭いくびれは、照明ユニット１００の射出瞳１１２の焦点を意味する。同様に、カメラ・ユニット１０６の入射瞳１１４の像は、結像用放射線の経路４０２のくびれにおいて合焦する。
【００３３】
図５及び図６は、その必要条件がＧｕｌｌｓｔｒａｎｄの原理の必要条件よりも容易な一実施例を提示する。図５は、照明用及び結像用の放射線の経路が水晶体１２４の前面１２５から後面１２６の範囲内で分離されている構成の視野を示す。偏光ビーム・スプリッタのような少なくとも１つの偏光子が使用される実施例では、角膜１２０からの反射は、網膜の検査又は測定を乱すことがない程度にまで排除又は減衰させることができる。角膜１２０からの反射を懸念する必要がないので、照明用放射線及び結像用放射線の経路４００、４０２は、水晶体１２４の表面上でのみ分離されることになり、これにより、検査機器の視野を実質的に大きくすることが可能になる。照明ユニット１００の射出瞳１１２の実像及びカメラ・ユニット１０６の入射瞳１１４の実像は、照明用放射線の経路１３４又は結像用放射線の経路１３２の光軸に対して平行な線上の同じ位置にあるか、又は異なる位置にあるように設計することができる。
【００３４】
図６は、照明用放射線及び結像用放射線の経路４００、４０２が水晶体１２４の内部でのみ分離されている眼球の瞳孔を示す。一般に、２つ以上の照明用放射線の経路が、眼球に向けられうる。同様に、結像用放射線の２つ以上の経路が、眼球から検出コンポーネント１３６に通じうる。大円６００は、焦点面（これは実際には眼球内にある）への眼球瞳孔の投影を表す。上方の円６０２は、焦点面上の結像用放射線の経路４０２の投影を表す。下方の円６０４は、焦点面上の照明用放射線の経路４００の投影を表す。両方の経路のくびれの投影は、約１ｍｍの直径を持つ円板とすることができ（これは、照明及び結像の光学の有効利用を意味する）、また、放射線の経路間の距離は約１ｍｍとすることができる。上方の破線円６０６は、眼球瞳孔での結像用放射線の経路の投影を示す。下方の破線円６０８は、眼球瞳孔６００での照明用放射線の投影を示す。両方の光学的放射線の経路は、約４ｍｍの直径を有する眼球瞳孔６００内に収まる。
【００３５】
ＮＩＲ（近赤外、Ｎｅａｒ  Ｉｎｆｒａ  Ｒｅｄ）波長及び可視光の使用においては、数ミリメートル以下のサイズが光学的放射線の経路に適切とされうる。検査機器を画像取込みのための定位置に合わせ、その後、可視光を閃光モードで使用して、静止画像又は短いビデオ映像を取り込むことができる。ＮＩＲ波長は瞳孔対光反射を生じさせず、したがって、検査機器をより大きな瞳孔径で動作するように設計することができる。
【００３６】
照明用放射線及び結像用放射線の経路４００、４０２の投影は、様々なサイズ及び形状とすることができる。投影は、完全な若しくは不完全な円形又は楕円形、矩形とされるか、或いは、経路４００、４０２を分離すること及び口径食作用のないことを実現する任意の形状を有することができる。所望の視野及び所望の眼球の最小瞳孔径にそのサイズが依存する経路間の間隔は、たとえ少量の光学的放射線の力が許容可能な水準未満である限りその光学的放射線が許容されうるとしても、実質的には光学的放射線を有さない。放射線の経路間の最小間隔は、例えば、０．３ｍｍから１．５ｍｍ、又は３ｍｍまでとされうる。図４から図６では、照明用及び結像用の放射線の経路の投影はほぼ同じサイズであるが、当然ながら、これらのサイズは、例えば光学的放射線源の輝度及び光学的伝搬損失に依存して異なりうる。しかし、必要とされる画像輝度は、眼球及び眼球内に小さな経路の投影領域を得ることを目的とする場合、制限要因となりうる。
【００３７】
図７から図１０は、経路における幾つかの形状及びサイズの変形例を示す。例えば図７では、投影は矩形の形状を有する。
【００３８】
例えば図８では、照明用放射線の投影は小さな円であり、結像用放射線の投影は大きな円である。
【００３９】
例えば図９では、照明用放射線の投影は小さな円であり、結像用放射線の投影はほぼ矩形とすることができる不完全な円である。
【００４０】
例えば図１０では、照明用及び結像用の放射線の両方の投影は、ほぼ矩形とすることができる不完全な円である。
【００４１】
検査機器と眼球との位置合わせは作動距離及び横変位における変化に寛容であるほど容易になりうるということは、言及する価値があるであろう。必要とされる瞳孔の最小直径もより小さくなり、これにより、非散瞳性結像が容易になる。
【００４２】
図１１は、眼球の瞳孔６００よりも大きい、経路４００、４０２の投影６０４、６０２を示す。照明用放射線及び結像用放射線の両方に対する各焦点面が水晶体１２４の中間にある場合、経路４００、４０２の投影は、口径食を避けるために、眼球瞳孔を通過するのに十分に小さくすることができる（ある程度の口径食は許容されるが、実際には結像用及び照明用の放射線の経路における口径食は対向するので、各経路は完全に又は部分的に互いに補償して、均一に照らされた像を得ることができる）。したがって、照明ユニット１００の射出瞳１１２の像、及びカメラ・ユニット１０６の入射瞳１１４の像は、必要以上に大きくなりえない。しかし、検査機器が（散大した瞳孔とともに使用されるとしても）最高輝度モードに最適化されている場合、照明用放射線及び結像用放射線の両方に対する焦点面は、実質的に眼球瞳孔の位置にあることになり（図１１の場合におけるように）、そのように口径食を避けることにより、照明ユニット１００の射出瞳１１２及びカメラ・ユニット１０６の入射瞳１１４の像のサイズは、眼球の瞳孔よりも大きくなりうる。次いで、口径食を受けていない放射線のビームが、眼球の瞳孔のサイズに関係なく供給されうる。当然ながら、経路４００、４０２間の間隔は、眼球の瞳孔よりも小さい照明用放射線及び結像用放射線の投影を有する構成と同様の全視野を得るために、より長くする必要がありうる。
【００４３】
図１２は、眼球の瞳孔が小さい場合の一実例を示す。小さい眼球瞳孔で広い（例えば、２０°又は３０°よりも広い）全視野を得るために、瞳孔の直径は約２ｍｍ程度とされ、焦点面（すなわち、放射線の経路のくびれ）は眼球瞳孔に近接されうる。これにより、口径食が最小限に抑えられる。照明ユニット１００の射出瞳１１２及びカメラ・ユニット１０６の入射瞳１１４の像は、どちらも眼球の瞳孔内に収まるほどに小さくされるか、又はより大きくされうる。一実施例では、焦点面は、水晶体１２４内で眼球の瞳孔から０．１ｍｍから０．５ｍｍ離され、また、口径食は、照明用放射線及び結像用放射線の経路における対向する口径食によって補償されうる。この構成により、散瞳することなく、持続的な可視光、例えば白色光で眼底を画像化することが可能になる。画像化は、静止画像又はビデオ映像の形態で行うことができる。
【００４４】
図１３及び図１４は、眼球の瞳孔上の照明用放射線及び結像用放射線の経路の投影を示す。例えば図１３では、投影は、眼球の瞳孔よりも大きい矩形の形状を有する。例えば図１４では、照明用放射線の投影は小さな円であり、結像用放射線の投影はより小さな矩形である。
【００４５】
眼球は、角膜１２０と水晶体１２４との間にかなりの複屈折性を有する。したがって、照明用放射線及び結像用放射線の経路４００、４０２が水晶体１２４内で分離されない場合、水晶体１２４からの反射は、目に見えるようになることになる。しかし、幾つかの実施例では、これらの反射は、調節可能とすることもできる少なくとも１枚の遅延板などの偏光補償器を使用することによって回避することができる。補償器は、角膜の複屈折性を補償することができ、したがって、経路４００、４０２は、角膜１２０で分離される必要がない。結果として、光学機器のエタンデュは、最大限に高められる。最大限に高められたエタンデュは、眼球内に向けられる光強度を最適化して十分に高められること、及び、検査機器の収集力を向上させられることを意味する。最大限に高められたエタンデュは、例えば、輝度の向上や、より大きな視野などの利点をもたらす。
【００４６】
一実施例では、光の偏光状態は、光が眼球１２２に入る前に偏光変換器又は適切な（できれば調節可能な）補償器を使用することにより、所望の態様及び／又は度合いで混合又は変調されうる。照明用放射線及び結像用放射線の経路は、角膜１２０から水晶体１２４の後面１２６の範囲内で分離されうる。このことが、網膜１２８の偏光依存特性を画像化、測定、又は排除可能にする。
【００４７】
次に、照明ユニット１００をより詳細に説明する。照明ユニット１００の射出瞳１１２は、照射瞳として、すなわち、照明ユニット１００の外側から例えばビーム・スプリッタ１０２から見たときに、照明用放射線がそこから発生しているように見える現実の又は仮想の瞳として、画定することができる。照明ユニット１００の射出瞳１１２は、様々な形態及びサイズを有しうる。一実施例では、照射瞳は、円形とされる場合があるが、照射瞳は、楕円形、矩形、不完全な円形、又は不完全な楕円形にもすることができる。デバイスが小さな眼球の瞳孔（具体的には対角線的に３ｍｍ未満）に合わせて最適化されている場合、照射瞳は、口径食が無いようにすることができるが、輝度は、網膜の像において逐一変化してもよい。
【００４８】
照明ユニット１００の射出瞳１１２からの照明用放射線の経路は、発散形状を有することができ、また、照明用放射線は、中間像面の必要とされる部分を実質的に均一に照らす。必要とされる部分は、網膜１２８の全視野領域の共役像と同一である。必要とされる領域の外側の光は、迷光を避けるために遮断することができる。この遮断は、例えば、照明ユニット１００の内部又は後ろに口径食邪魔板を加えることにより、又は、照明モジュールの内部に視野絞り（照明場絞り（ｉｌｌｕｍｉｎａｔｉｏｎ  ｆｉｅｌｄ  ｓｔｏｐ）と呼ぶこともできる）を設計し且つ使用することにより、可能な限り早く実施することができる。照明場絞りは、迷光の遮断に加えて、網膜１２８上の照明を整形するのに使用することができる。照明は、例えば、円形、楕円形、又は線形に整形することができる。他の形状も可能である。楕円形や線形などは、様々な向きを有していてもよい。照明場絞りは、ユーザが網膜上の照明のサイズ及び形状を変更できるように、変更可能な開口を備えていてもよい。さらに別の可能性は、網膜１２８の照明のサイズ及び形状、又は波長ですら電気的に変調することが可能なＬＣＤ（液晶表示装置、Ｌｉｑｕｉｄ  Ｃｒｙｓｔａｌ  Ｄｉｓｐｌａｙ）、ＬｃｏＳ（リキッド・クリスタル・オン・シリコン、Ｌｉｑｕｉｄ  ｃｒｙｓｔａｌ  ｏｎ  Ｓｉｌｉｃｏｎ）、又はＤＭＤ（デジタル・マイクロミラー・デバイス、Ｄｉｇｉｔａｌ  Ｍｉｃｒｏｍｉｒｒｏｒ  Ｄｅｖｉｃｅ）小型表示装置などの空間変調器を使用することである。
【００４９】
次に、照明ユニット１００を検証する。２つ以上の素子が利用される一実施例では、素子のそれぞれが、光学的放射線の所定の帯域を伝達する。光学的帯域は、単一波長から数百ナノメートルまで、又は数千ナノメートルにすら変化しうる。一実施例では、光学的放射線源１１０は、その光学的帯域を制御することが可能な単一の素子とされうる。帯域幅及び平均波長は、所定の態様で変更されうる。帯域の制御は、電気的に行われうる。例えば、平均波長は、素子での光学的放射線の生成を電気的に変化させることによって変更されうる。
【００５０】
一実施例では、光学的放射線源は、広帯域放射線源素子及び波長可変フィルタを含みうる。光学的放射線源の出力帯域は、フィルタに基づいて選択されうる。フィルタは、複数のフィルタ素子を有することができ、各フィルタ素子は、異なる帯域又は異なる波長群を通過させる。フィルタ素子のそれぞれを単独で、又は幾つかのフィルタ素子を一緒にして、照明ユニット１００の出力波長を選択するために使用することができる。波長可変フィルタはまた、その光学的特性を変化させることにより、所望の光学的帯域又は所望の複数の光学的帯域を通過させるように、電気的に調整されてもよい。
【００５１】
照明ユニット１００は、照明ユニット１００の射出瞳１１２及び中間像１３０の平面への適切な照明を形成するのに必要とされる、レンズ、光導体、ダイクロイック、鏡、開口部、等を備えうる。放射線源素子は、例えば、ＬＥＤ（発光ダイオード、Ｌｉｇｈｔ  Ｅｍｉｔｔｉｎｇ  Ｄｉｏｄｅ）、有機ＬＥＤ、発光プラズマ、レーザ、白熱電球、ハロゲン球、アーク灯（例えば、キセノン・アーク灯など）、蛍光灯、又は適切な波長を放射し且つデバイスに対して他の適切な特性を有する任意のランプとすることができる。
【００５２】
一実施例では、照明ユニット１００は、１つの白色ＬＥＤチップ、及び近赤外（ＮＩＲ）波長を放射する１つのＬＥＤチップを含み、これらの放射線は例えばダイクロイック・ミラーを使用して組み合わせることができる。例えば、白色ＬＥＤチップは、４００ｎｍから７００ｎｍの帯域で可視光を放射することができ、ＮＩＲ  ＬＥＤチップは、７００ｎｍから１２００ｎｍの帯域で、又はより狭い８００ｎｍから９００ｎｍの帯域で光を放射することができる。ＮＩＲ波長を使用することにより、検査機器を画像取込みのための的確な位置に位置合わせすることができ、その後、白色光を閃光モードで使用して、静止画像又は（短い）ビデオ映像を取り込むことができる。ＮＩＲ波長は瞳孔対光反射を生じさせず、したがって、検査機器をより大きな瞳孔径で動作するように設計することができ、光学設計における折衷案の釣り合わせが容易になる。
【００５３】
一実施例では、眼球は近赤外放射線でのみ照らされ、光学検査デバイスは、可視光の焦点が合うように、近赤外放射線の焦点から外される。そのような光学コンポーネントの設定、すなわち焦点調節は、レンズが近赤外放射線を可視光とはわずかに異なるように屈折させ、また、屈折の差、したがって焦点調節の差が事前に知られているので、可能である。可視光が閃光すると、結像光学系はすでに焦点状態にあるので、焦点調節のための行動を取る必要は無い。
【００５４】
蛍光眼底観察におけるような多くの診断目的に対して、所定の光学的帯域での照明及び／又は結像は、有益なものとなるであろう。上記及び他のスペクトル解析目的において、照明ユニット１００は、広帯域光学的放射線を伝達する１つ又は複数の放射線源を含むことができ、放射線は、次いで、少なくとも１つの所望の波長域を提供するために、帯域通過フィルタを使用してフィルタ処理されうる。蛍光眼底観察では、適切な照明は、例えば４６５ｎｍから４９０ｎｍの間とされうる。フィルタの使用は、１つ又は複数の適切な波長範囲で光を放射することができる１つ又は複数の放射線源素子を使用する場合には、回避することもできる。そのようなフィルタレスの実施例の一実例は、血管造影のために４７０ｎｍの中心波長で放射する青色ＬＥＤである。一実施例では、波長可変フィルタが使用されうる。
【００５５】
結像用光学的放射線が検出コンポーネント１３６に達する前に、結像用光学的放射線をフィルタ処理することも、有益となりうる。フィルタ処理は、結像用光学的放射線を少なくとも１つの所望の帯域に制限することができる。少なくとも１つの帯域の帯域幅は、例えば、単一波長（非常に狭いノッチ・フィルタ）から数百ナノメートルまで変化しうる。しかし、光学的帯域又は複数の光学的帯域の帯域幅は、この例に制限されるものではない。
【００５６】
フィルタはまた、ＩＲ領域又はＵＶ領域において１つ又は複数の光学的帯域を遮断するために必要とされうる。例えば、ＵＶ放射線は、眼球に損傷を与える可能性がある。分離フィルタを結像用放射線の経路及び照明用放射線の経路内に使用して、照明用の帯域とは部分的に又は完全に異なる帯域から少なくとも１つの像を得ることができる。
【００５７】
一実施例では、照明ユニット１００はＫｏｈｌｅｒ照明の教示に基づきうるが、臨界照明又は何らかの他の照明方式も使用することができる。ＬＥＤチップの放射領域は、照明ユニット１００の射出瞳１１２（すなわち、照射瞳）に結像されうる。次いで、照明場絞り１６０において結像されたチップの角出力は、対物レンズ１０４により網膜１２８に結像されうる、中間像１３０の平面に結像されうる。不快な迷光を遮断するために照明場絞りを有する利点に加えて、こうすることで、はっきりとした照射瞳、及び網膜１２８に対する均一且つ口径食のない照明を提供することができる。
【００５８】
一実施例では、単純な照明が非球面集光レンズに基づく場合もある。非球面集光レンズは、ＬＥＤからの光を集めて、放射領域を照明ユニット１００の射出瞳１１２内に結像するのと同時に、照明場絞り１６０を中間像１３０の平面に結像する。
【００５９】
一実施例では、照明ユニット１００は、収集光学素子を有するＬＥＤ、又はＬＥＤチップだけを含みうる。
【００６０】
次に、対物レンズ１０４を少し詳しく検討する。検査機器は、対物レンズ１０４、及びリレー・レンズ・システム１３８を含むことができる。対物レンズ１０４は、対物レンズ１０４と検出コンポーネント１３６との間に網膜１２８の実中間像１３０を形成することができる。リレー・レンズ・システム１３８は、検出コンポーネント１３６上に中間像１３０の像を形成することができる。中間像１３０が結像される、この２度行われる結像、又は２重結像は、利点をもたらしうる。例えば、ビーム・スプリッタ１０２のためのスペースがある。そうでない場合、ビーム・スプリッタ１０２は、対物レンズ１０４の外側に、すなわち対物レンズ１０４と眼球１２２との間に挿入されなければならない。このことは、眼球までの作動距離が短いこと、視野が狭くなること、及び画像輝度に関する問題などの、重大な欠点をもたらす可能性がある。
【００６１】
代替として、ビーム・スプリッタ１０２は、対物レンズ１０４に挿入することができるが、このことは、対物レンズの設計を相当に制限し、また、検出コンポーネント１３６に必要とされるサイズが大きくなるなどの他の欠点をもたらす。２重結像構造の別の利点は、網膜１２８から検出コンポーネント１３６への倍率を所望の検出コンポーネント１３６のサイズに適切な値に調節及び設定するのが容易であることでありうる。倍率はまた、調節可能とすることができる。すなわち、システムは、例えば、光学素子を調節すること、代替としておそらく中間像１３０と検出コンポーネントとの間の距離を調節することによる、光学的ズーム機能を含むことができる。２重結像構造のさらに別の利点は、中間像１３０は鮮明であっても鮮明でなくてもよいことであろう。このことは、眼球１２２及び対物レンズ１０４によって生じる全ての収差が対物レンズ１０４だけによって修正される必要はないことを意味する。対物レンズ１０４を用いて収差を修正する可能性が限られるので、代わりにリレー・レンズ・システム１３８内である程度の収差を修正することもできる。したがって、広い視野で鮮明な像を得られるようにすることができる。
【００６２】
２重結像構造のさらに別の利点は、リレー・レンズ・システム１３８及び検出コンポーネント１３６を含むカメラ・ユニット１０６を、カメラ・ユニット１０６との間で繰返し着脱可能な光学機能部品１５００〜１５０４を追加的に含むセットの一部とすることができることである。図１５には、そのような検査機器が示されている。カメラ・ユニット１０６は、体の外側部分、例えば皮膚の検査などの幅広い用途に単独で使用することができる。それ故、例えば１つの光学機能部品１５００は、ビーム・スプリッタ１０２及び対物レンズ１０４を含むことができる。セット内の少なくとも１つのさらなる光学機能部品１５０２（又は１５０４）は、眼球１２２及び体の外側表面上の少なくとも１つの器官のどちらとも異なる、少なくとも１つの器官の像を取り込むことができる。
【００６３】
最も簡単な形態の対物レンズ１０４は、１つ又は２つの非球面を有することが可能なシングレットとすることができる。対物レンズ１０４の光軸と結像用放射線の光軸との間の角度は、例えば０度から９度の間とすることができるが、これに制限されない。
【００６４】
対物レンズ１０４は、ガラス又は光学用プラスチックで作ることができる。研磨後に対物レンズ１０４のガラスを焼なましすることにより、複屈折性を最小限に抑えることができる。一実施例では、対物レンズ１０４は、色収差を最小限に抑えるために使用することができるダブレットを含む。当然ながら、要素の数は１つ又は２つに制限されず、設計に関する複数の変形例が存在しうる。レンズのうちの幾つかが複屈折をもたらしている場合、複屈折を補償するために適切な補償器を使用することが可能である。別の可能性は、適切な表面形状の対物レンズを使用することである。さらに別の可能性は、黒点共役法を適用することである。
【００６５】
対物レンズ１０４の焦点距離は、例えば１０ｍｍから５０ｍｍまで変化してよい。全視野は、例えば２０°から６０°とすることができる。眼球までの作動距離は、例えば８ｍｍから４０ｍｍとすることができる。網膜１２８から中間像１３０への倍率は、例えば１．２倍から２．０倍とすることができる。
【００６６】
リレー・レンズ・システム１３８は、中間像１３０の像を検出コンポーネント１３６に形成することができる。偏光効果を持つ又は持たないビーム・スプリッタ１０２を中間像１３０とリレー・レンズ・システム１３８との間に置くことができるが、ビーム・スプリッタ１０２はリレー・レンズ・システム１３８の内部にあってもよい。しかし、開口絞りがカメラ・ユニット１０６の入射瞳１１４として働く場合、ビーム・スプリッタ１０２を検出コンポーネント１３６とリレー・レンズ・システム１３８の開口絞りとの間に置くことはできない。リレー・レンズ・システム１３８及び対物レンズ１０４を独立したレンズ・システムにすることができること、すなわち、検出コンポーネント１３６及びリレー・レンズ・システム１３８を一緒にして独自の多目的カメラ・ユニット１０６を形成することができることは、利点と見なすことができる。
【００６７】
開口絞り、すなわち入射瞳１１４のサイズ及び形状は、入射瞳１１４の所望の像を眼球１２２の前部に提供することができるような寸法となされる。一実施例では、リレー・レンズ・システム１３８は、円形開口を持つ従来のカメラ・レンズ・システムである。一実施例では、リレー・レンズ・システム１３８の焦点距離は、８ｍｍから１００ｍｍの間とされうる。多くの場合、１２ｍｍから３５ｍｍの焦点距離で十分であることが分かっている。
【００６８】
図１に示されている一実施例では、検査機器は、例えば視野平坦化又は瞳孔整合目的のための、視野レンズ１６０を有することができる。視野レンズ１６０は、中間像１３０の平面に近接されうる。視野レンズ１６０は、対物レンズ１０４又はリレー・レンズ・システム１３８の一部であってもよく、又は、それらの両方に部分的に共通していてもよい。
【００６９】
図１６に概略的に示されているように、一実施例では、検査機器は、対物レンズ１０４と中間像１３０との間のビーム・スプリッタ１７０２、及び、ビーム・スプリッタ１７０２を通した中間像１３０の仮想鏡像１７０６上に実質的に位置決めされた、１つ又は複数の固視標１７０４を含むことができる。ビーム・スプリッタ１７０２は、ビーム・スプリッタ１０２に相当しうる。固視標１７０４は、網膜の様々な部分を中心とした網膜１２８の１つ又は複数の像の取込みを支援すること、及び、デバイスの焦点を網膜に合わせることを支援することを目的として、患者の眼球１２２の視線方向及び焦点距離を誘導するために使用することができる。
【００７０】
図１７に示されているように、１つ又は複数の固視標１７０４は、例えば穴１８０４を通して可視放射線１８０８を放射するＬＥＤなどの１つ又は複数の光源１８０６によって照らされる開口部１８０４を有する、窓板１８０２を含むことができる。窓板を持たない１つ又は複数の光源ユニットも、固視標として使用することができる。ビーム・スプリッタ１７０２は、例えば、放射された放射線１８０８の一部を眼球へ反射するガラス板とすることができる。ビーム・スプリッタ１７０２は、その表面に適切な被覆を有していてもよい。
【００７１】
固視標を含む別の実施例が、図１８に示されている。この実施例は、図１を用いて説明されたシステムに似ているが、追加的な第２の照明ユニットを有する。この第２の照明ユニットは、眼球１２２にとって可視である１つ又は複数の固視標を作り出すことができ、また、固視標ユニット１９０２と呼ぶことができる。第１の照明ユニット１００と同様に、固視標ユニット１９０２は、レンズ又は複数のレンズ、及び１つ又は複数の放射線源素子を含みうる光学的放射線源１９０４などの、光学コンポーネントを含むことができる。固視標ユニットの光学的放射線源は、可視光の領域内で動作することができ、その結果、１つ又は複数の固視標の像を、患者に見せることができる。光学的放射線は、例えば、赤色、緑色、青色、又は白色の放射線を放射するＬＥＤチップによって生成されうる。
【００７２】
固視標ユニット１９０２は、線源１９０４の光学的放射線を固視標ユニット１９０２の射出瞳１９０６からビーム・スプリッタ１０２へ向かわせることができる。射出瞳１９０６は、固視標ユニット１９０２内の物理的開口の後ろにある光学素子によって形成された、その開口の像とすることができる。ビーム・スプリッタ１０２は、固視標放射線の経路１９０８において光学的放射線を対物レンズ１０４へ向かわせることができる。ビーム・スプリッタ１０２は、光学的放射線の所望の部分を、対物レンズ１０４を介して眼球１２２へ反射することができる。
【００７３】
図１８に示されているのと同一の固視標の構成原理を、図２で説明された実施例、又は説明される他の実施例にも適用することができる。
【００７４】
固視標ユニット１９０２は、視野絞り１９１０を含むことができ、視野絞り１９１０は、患者の眼球１２２がその像を見ることができる固視標を含むことができ、また、視野絞り１９１０は、患者の眼を所望の方向に向けるために使用することができる。眼球の内部水平面のうちの１８０°をカバーする画像を得ることが目的とされる場合、それぞれが６０°をカバーする３つの画像を取り込むことが必要とされうる。人が左を見るように誘導されたときに第１の画像が取り込まれ、人が正面を見るように誘導されたときに第２の画像が取り込まれ、人が右を見るように誘導されたときに第３の画像が取り込まれうる。３つの画像から、パノラマ画像を形成することができる。固視標の像もまた、眼球を所望の距離に適応させるように誘導するために使用することができる。通常、視野絞り１９１０は、中間像１３０及び網膜１２８と共役するようにすることができ、その結果、患者は、焦点を目標像に合わせて見ることになる。眼球は、通常、可視像に焦点を合わせようとするので、視野絞り１９１０にある固視標は、所定の距離に焦点が合うように眼球１２２を誘導する。
【００７５】
図１９は、固視標ユニット１９０２により網膜１２８上に形成された固定像の実像の一例を示す。像は、所定の位置に５つの円形のスポット２００２を含みうる。１つのスポット２００２Ａがデバイスの軸上に配置され、他のスポット２００２Ｂは、画角によって定められうる一定の距離だけデバイスの軸から離されうる。個別の画角は、例えば８°から２５°になるように構成されうる。画角は、使用される検査デバイスの視野に依存しうる。各スポット２００２は、独立した光源ユニットによって形成されてもよい。１つ又は複数の光源は、眼球１２２が瞬間毎に１つのスポット２００２だけを見て、そしてそのスポットに焦点を合わせるように、一度に１つのスポット２００２を出力することができる。光源により一度に２つ以上のスポット２００２が出力されてもよい。すると眼球１２２は、瞬間毎に幾つかのスポット２００２を見て、それらに焦点を合わせることができる。
【００７６】
固視標ユニット１９０２は、画像取込み中は光を放射する必要がない。したがって、起こりうる眼球の角膜及び水晶体からの反射が画質を乱す可能性はなく、したがって、固視標ユニット１９０２の射出瞳１９０６のサイズ及び位置は、カメラ・ユニット１０６の入射瞳１１４に対する照明ユニットの射出瞳１１２のサイズ及び位置ほどには慎重に構成される必要はない。眼球の内部において、固視標ユニット１９０２の射出瞳１９０６は、例えば、おおよそ射出瞳１１２の像と入射瞳１１４の像との間に結像されるか、又は、おおよそ入射瞳１１４の像の上に結像されうる。
【００７７】
一実施例では、固視標ユニット１９０２及び照明ユニット１００は、照明ビーム１３４及び固視標ビーム１９０８を眼球へ誘導するために、個別のビーム・スプリッタ１０２を使用することができる。図１８では、固視標ユニット１９０２は、照明ユニット１００と同一の任意の前偏光子１４０を使用しうる。しかし、固視標ユニット１９０２及び照明ユニット１００は、個別の前偏光子を使用することもできる。固視標ユニット１９０２及び照明目標ユニット１００はまた、幾つか例に挙げれば、フォールド・ミラー、レンズ、又はＬＥＤ用のプリント回路基板若しくはヒートシンクなどの、他の共通コンポーネントを共有することもできる。
【００７８】
次に、図２０に示されているような固視標ユニット１９０２の一実施例を詳しく説明する。固視標ユニット１９０２は、１つ又は複数のＬＥＤ光源２１０２、窓板２１０４、１つ又は複数のリレー・レンズ２１０６、及び開口瞳絞り２１０８を含むことができる。ＬＥＤ２１０２は、窓板２１０４にある穴２１１０を照らして、リレー・レンズ２１０６により中間像１３０を介して網膜１２８に穴２１１０を結像することができる。窓板２１０４は、固視標ユニット１９０２の視野絞り１９１０に配置することができる。この構成における固視標放射線の経路は、線１９０８によって示されている。
【００７９】
模範的な事例では、物理的な開口瞳絞り２１０８は固視標ユニット１９０２の射出瞳１９０６と一致するが、これらは異なっていてもよい。開口瞳絞り２１０８が、窓板２１０４と少なくとも１つのリレー・レンズ２１０６との間に配置される場合、開口瞳絞り２１０８は、固視標ユニット１９０２の射出瞳１９０６と一致する必要はない。開口瞳絞り２１０８はまた、個別の物理的開口が必要とされなくなるように、リレー・レンズの有効口径によって形成されていてもよい。
【００８０】
開口瞳絞り２１０８は、調節可能なアイリス絞りを含むことができ、このアイリス絞りは、固視標像の輝度をその特徴の形状に影響を及ぼすことなく調節するために使用することができる。輝度は、放射線源の出力の輝度を調節することによって調節されてもよい。固視標像の輝度の調節は、眼球１２２の虹彩１２７を開閉するために使用することができる。眼球の検査は、瞳孔が大きいとより容易になる。また、瞳孔が大きい眼球にはより多くの光学的放射線を送り込むことができる。さらに、眼球の瞳孔が大きければ、検査機器の機械的及び光学的な調節がより容易になる。
【００８１】
穴２１１０内の観察領域の配光を均質化するために、ＬＥＤ２１０２と窓板２１０４との間に、又は穴２１１０内に、１つ若しくは複数の均質化要素又は拡散要素２１１２があってもよい。そのようにすると、ＬＥＤの構造は被検者には見られない。別の可能性は、均一な空間出力を提供するための小さな光導体として機能するのに十分な長さの穴を使用することである。さらに別の可能性は、ＬＥＤ２１０２からの光を、光の分配を調和させる光ファイバに送ることでありうる。すると光ファイバは、光をビーム・スプリッタ１０４に向けて出力することができる。
【００８２】
円形スポットの代わりに、固視標は網膜上に任意の像を提供することができる。この像は、線、十字、輪、文字、数字、記号、などを含むことができる。固視標の像は、単色であっても、様々な色を有していてもよい。一実施例では、固視標ユニットの視野絞り１９１０は完全に照らされ、開口穴２１０４は、操作者が課題毎に所望の固視標特徴を選択することができるように変更可能とされうる。さらに、又はその代わりに、固視標の像は、操作的に窓板２１０４と同様にすることが可能なＬＥＤマトリックス又はＯＬＥＤマトリックス（有機ＬＥＤ、Ｏｒｇａｎｉｃ  ＬＥＤ）によって形成されてもよい。一実施例では、目標像は、目標像の容易な調節を実現する例えばＬＣＤやＬｃｏＳ（リキッド・クリスタル・オン・シリコン）などの照明付き小型表示装置、又は例えばＤＭＤ（デジタル・マイクロミラー・デバイス）などのマイクロミラー・アレイによって形成されうる。一実施例では、目標像は、例えば、線状アレイ、スポット・マトリックス、及び極性アレイなどの様々なパターン又は配列を、網膜上に形成しうる。これらのうちの任意のものを単独で又は他と一緒にして、検査機器のための焦点補助として使用するか、或いは、眼の寸法若しくは形状の測定又は解析に利用することができる。
【００８３】
網膜状に結像された１つ又は複数の固視標は、様々な方法で変調することができる。１つ又は複数の固視標は、網膜上に連続的に結像されてもよい。一実施例では、固視標は、画像取込み中にはスイッチが切られるが、そうでない場合には網膜上に連続的に結像されうる。１つ又は複数の固視標は、所望の頻度で網膜上に繰返し可能に閃光されてもよく、また、閃光速度は、例えば画像取込み頻度と同期されていてもよい。ビデオ映像の取込み中、１つ又は複数の固視標は、患者は固視標を見ることができるが固視標はビデオ映像に取り込まれることができないように、各フレームの取込み間に網膜上に結像されうる。一実施例では、１つ又は複数の固視標は短い時間間隔で示され、１つ又は複数の固視標の像を含む取り込まれたフレームは、最終ビデオ映像シーケンスから取り除かれうる。
【００８４】
一実施例では、固視標ユニット１９０２の視野絞り１９１０の位置は、眼球１２２を固視標ユニット１９０２位置に基づいて様々な距離に焦点が合うように誘導することができるように、軸方向に調節可能とされうる。視野絞りの位置調節は、カメラ・ユニットの焦点調節と調和するようにすることもできる。本発明の一実施例では、固視標ユニット１９０２の可動視野絞り１９１０は、眼球１２２の遠近調節及び／又は眼球の遠近調節範囲を検査又は測定するために使用されうる。固視標像は、例えば、操作者が患者の視線方向を所定の位置に制限されることなく自由に誘導することができるように、光軸に対して直角な方向に調節可能とされうる。
【００８５】
さらに、一実施例では、固視標は、ＩＲ領域で動作する放射線源ユニットを含みうる。したがって、目標像は、ＩＲ光によって形成することができ、また、目標像は、眼の屈折率測定に使用することができる。
【００８６】
一般に、対物レンズ１０４の焦点距離は、例えば２３ｍｍから２７ｍｍの間とされうる。検査機器の作動距離（すなわち、角膜から対物レンズの最も近い表面までの距離）は、例えば１８ｍｍから２６ｍｍの間とされうる。照射瞳から中間像１３０までの光路長は、例えば９０ｍｍから１３０ｍｍの間とされうる。リレー・レンズの入射瞳から中間像までの光路長は、照射瞳から中間像までの光路長と同じ長さから１０ｍｍ以内である。リレー・レンズ・システム１３８の焦点距離は、例えば１５ｍｍから２５ｍｍの間とされうる。入射瞳１１４の直径は、３ｍｍから６ｍｍの間とされうる。中間像１３０は、対物レンズ１０４から約１８ｍｍから３０ｍｍ離されうる。４５°の全視野は、約１２ｍｍから２２ｍｍの中間像直径に相当しうる。
【００８７】
図２１は、本発明の一実施例による装置の流れ図である。ステップ２２００において、放射線源１１０の光学的放射線が、照明ユニット１００の射出瞳１１２からビーム・スプリッタ１０２に向けられる。ステップ２２０２において、光学的放射線は、ビーム・スプリッタ１０２により照明用放射線の経路１３４に沿って対物レンズ１０４に向けられる。ステップ２２０４において、光学的放射線により照明ユニット１００の射出瞳１１２の実像及びカメラ・ユニット１０６の入射瞳１１４の実像が対物レンズ１０４を通じて眼球１２２の角膜１２０から水晶体１２４の裏側１２６の範囲の位置内に形成されうるように、眼球１２２の網膜１２８が照らされる。ステップ２２０６において、網膜１２８から反射された光学的放射線により、網膜１２８の実中間像１３０が、対物レンズ１０４を通じて結像用放射線の経路１３２内で対物レンズ１０４とカメラ・ユニット１０６との間に形成される。ステップ２２０６において、網膜１２８からの光学的放射線は、ビーム・スプリッタ１０２によってカメラ・ユニット１０６に向けられる。ステップ２２０８において、少なくとも水晶体１２４の表面１２５、１２６上での射出瞳１１２及び入射瞳１１４の像の重複を防ぐために、照明用放射線の経路１３４及び結像用放射線の経路１３２がビーム・スプリッタ１０２により所定の態様で偏向される。ステップ２２１０において、光学像を画面１５０上に示されるように電気的形態に変換するために、リレー・レンズ・システム１３８により、網膜１２８から反射された光学的放射線により中間像１３０の実像が検出コンポーネント１３６上に形成される。
【００８８】
画像処理ユニット１４８は、メモリ及び検査機器の様々なインターフェイスに接続された、プロセッサ、コントローラなどを含むことができる。一般に、画像処理ユニット１４８は、中央処理装置又は追加的な演算プロセッサとされうる。プロセッサは、少なくとも１つの実施例の１つ又は複数の機能を実行するようにプログラムされている、特定用途向け集積回路（ＡＳＩＣ：ａｐｐｌｉｃａｔｉｏｎ−ｓｐｅｃｉｆｉｃ  ｉｎｔｅｇｒａｔｅｄ  ｃｉｒｃｕｉｔ）、フィールド・プログラマブル・ゲート・アレイ（ＦＰＧＡ：ｆｉｅｌｄ−ｐｒｏｇｒａｍｍａｂｌｅ  ｇａｔｅ  ａｒｒａｙ）、及び／又は他のハードウェア・コンポーネントを含みうる。プロセッサは、コンピュータ・プログラムの命令に基づいて論理演算を実行するデジタル状態機械の電気回路として実現されうる。例示的な一実施例では、少なくとも１つのプロセッサは、中央処理装置（ＣＰＵ：ｃｅｎｔｒａｌ  ｐｒｏｃｅｓｓｉｎｇ  ｕｎｉｔ）の機能を集積回路上に実装したマイクロプロセッサとして実装されうる。ＣＰＵは、プログラム命令を含むコンピュータ・プログラムを実行する、論理状態機械である。命令は、高水準プログラミング言語とされる場合もあるプログラミング言語を使用して、コンピュータ・プログラムとしてコード化されうる。ＣＰＵは、レジスタ一式、演算論理装置（ＡＬＵ：ａｒｉｔｈｍｅｔｉｃ  ｌｏｇｉｃ  ｕｎｉｔ）、及び制御装置（ＣＵ：ｃｏｎｔｒｏｌ  ｕｎｉｔ）を含みうる。制御装置は、作業メモリからＣＰＵに転送された一連の命令によって制御される。制御装置は、基本動作のための複数のマイクロ命令を含みうる。マイクロ命令の実装は、ＣＰＵ設計に応じて変化しうる。マイクロプロセッサはまた、コンピュータ・プログラムにシステム・サービスを供給することができるオペレーティング・システム（埋込みシステムの専用のオペレーティング・システム、又は実時間オペレーティング・システム）を有しうる。一実施例では、１つ又は複数のメモリは、１つ又は複数のプロセッサによって実行されると検査機器にその操作を実行させる命令を、さらに記憶しうる。
【００８９】
メモリは、揮発性及び／又は不揮発性のメモリを含むことができ、また、典型的には、コンテンツ、データ、などを記憶する。例えば、メモリは、プロセッサが各実施例による装置の操作に関連付けられた諸ステップを実行する、ソフトウェア・アプリケーションやオペレーティング・システム、情報、データ、コンテンツ、などのコンピュータ・プログラム・コードを記憶することができる。メモリは、例えば、ランダム・アクセス・メモリ（ＲＡＭ：ｒａｎｄｏｍ  ａｃｃｅｓｓ  ｍｅｍｏｒｙ）、ハード・ドライブ、又は他の固定データメモリ若しくは記憶デバイスとすることができる。さらに、メモリ又はその一部は、装置に取り外し可能に接続される着脱式メモリとすることができる。
【００９０】
データ記憶媒体又はメモリ・ユニットは、プロセッサ／コンピュータ内に実装するか、又は、プロセッサ／コンピュータの外部に実装することができ、後者の場合、データ記憶媒体又はメモリ・ユニットは、当技術分野で知られている様々な手段を介してプロセッサ／コンピュータに通信可能に結合することができる。
【００９１】
画像処理ユニット１４８によって形成された画像データは、光学システムのメモリ１５２に保存することができる。さらに、又はその代わりに、画像データは、病院の患者データ・システムのデータ・バンク１５４に記憶することができる。メモリ１５２又はデータ・バンク１５４に記憶された画像は、光学システムで又はコンピュータで再調査するために取り出すことができる。
【００９２】
本検査機器は、可搬式検眼鏡及び／又は可搬式眼底カメラとして使用してもよい。その根拠は、本検査機器は、眼球の検査中手に持って扱うのに十分なほどコンパクト且つ軽量に作ることができるためである。
【００９３】
技術の進化につれて、本発明の概念を様々な方法で実行できることは、当業者には明らかであろう。本発明及びその実施例は、上述の実例に限定されるものではなく、特許請求の範囲に記載の範囲内で変化しうる。
【図２】
2015511509.tif 000003
【図３】
2015511509.tif 000004
【図４】
2015511509.tif 000005
【図５】
2015511509.tif 000006
【図６】
2015511509.tif 000007
【図７】
2015511509.tif 000008
【図８】
2015511509.tif 000009
【図９】
2015511509.tif 000010
【図１０】
2015511509.tif 000011
【図１１】
2015511509.tif 000012
【図１２】
2015511509.tif 000013
【図１３】
2015511509.tif 000014
【図１４】
2015511509.tif 000015
【図１６】
2015511509.tif 000016
【図１７】
2015511509.tif 000017
【図１８】
2015511509.tif 000018
【図１９】
2015511509.tif 000019
【図２０】
2015511509.tif 000020
【図１】
2015511509.tif 000021
【図１５】
2015511509.tif 000022
【図２１】
2015511509.tif 000023
【国際調査報告】
2015511509.tif 000024
2015511509.tif 000025
2015511509.tif 000026